(57)【要約】【課題】収容箱に収容された流通物に設けられた無線タグの識別情報が読取れない場合、又は収容箱内存在しないはずの無線タグの識別情報を読取った場合に、その無線タグが設けられた流通物を効率良く探す。【解決手段】収容箱内の無線タグの識別情報及びその識別情報がいずれのアンテナで読取られたかを示す第１のアンテナ位置情報を関連付けて記憶したＩＣカードから各情報を取得し（ＳＴ２１）、無線タグの識別情報を読取るときにいずれのアンテナで読取ったかを示す第２のアンテナ位置情報を関連付けて取得し（ＳＴ２３からＳＴ２５）、取得した識別情報が一致するか否かを判断し（ＳＴ２６）、一致しないと判断した場合は、その一致しない識別情報の無線タグが設けられた流通物の収容箱内における位置を第１のアンテナ位置情報及び第２のアンテナ位置情報に基づいて表示する（ＳＴ２８）。【選択図】図１０
2005267078.tif 000002
【特許請求の範囲】
【請求項１】
識別情報を記憶した無線タグが設けられた流通物を収容する収容箱内の無線タグと予め所定位置に配置された複数のアンテナを用いて無線通信を行い、前記収容箱内の無線タグの識別情報を読取る読取手段を有する無線タグ読取装置において、
前記収容箱内の無線タグの識別情報及びその識別情報が前記複数のアンテナのいずれのアンテナで読取られたかを示す第１のアンテナ位置情報を関連付けて記憶した記憶手段から前記各情報を取得する第１の情報取得手段と、
前記読取手段で前記無線タグの識別情報を読取るときに、前記複数のアンテナのいずれのアンテナで読取ったかを示す第２のアンテナ位置情報を関連付けて取得する第２の情報取得手段と、
前記第１の情報取得手段で取得した識別情報と前記第２の情報取得手段で取得した識別情報とが一致するか否かを判断する判断手段と、
前記判断手段で一致しないと判断した場合には、その識別情報の無線タグが設けられた流通物の収容箱内における位置を前記第１のアンテナ位置情報及び前記第２のアンテナ位置情報に基づいて報知する報知手段とを具備することを特徴とする無線タグ読取装置。
【請求項２】
識別情報を記憶した無線タグが設けられた流通物を収容する収容箱内の無線タグと予め所定位置に配置された複数のアンテナを用いて無線通信を行い、前記収容箱内の無線タグの識別情報を読取る無線タグ読取方法において、
前記収容箱内の無線タグの識別情報及びその識別情報が前記複数のアンテナのいずれのアンテナで読取られたかを示す第１のアンテナ位置情報を関連付けて記憶した記憶手段から前記各情報を取得し、
無線タグの識別情報を読取るときに、前記複数のアンテナのいずれのアンテナで読取ったかを示す第２のアンテナ位置情報を関連付けて取得し、
前記取得した各識別情報が一致するか否かを判断し、
一致しないと判断した識別情報は、その識別情報の無線タグが設けられた流通物の収容箱内における位置を前記第１のアンテナ位置情報及び前記第２のアンテナ位置情報に基づいて報知することを特徴とする無線タグ読取方法。
【発明の詳細な説明】
【技術分野】
【０００１】
本発明は、流通物に設けられた無線タグからその無線タグに記憶された識別情報を無線通信により読取る無線タグ読取装置及び無線タグ読取方法に関する。
【背景技術】
【０００２】
流通物、例えば、郵便物の流通過程における管理は次のように行われている。郵便物を受付けた受付局において、局員は郵便物を受付けると、受付けた郵便物に固有の番号を付し、予め決められた時間になると、受付けた郵便物を宛先別に仕分けして収容箱に詰める。この際、収容箱には収容箱の行き先、通数等を記載した送達書が添付される。そして、収容箱は、行き先別に郵便物の中継を行う中継局、又は郵便物を宛先へと配達する配達局などの郵便局に配送される。この収容箱が配送された郵便局においては、収容箱内の郵便物と収容箱に添付された送達書の内容とが一致しているかを確認する受入確認が行われる。その確認後、再度、他の郵便局に配送する必要があれば、郵便物を宛先別に仕分けして収容箱に収容し、その収容箱に送達書を添付して行き先局へと配送している。このように、郵便局において、配送された収容箱内の郵便物の受入確認、送達書の作成等を行う作業は、大変煩雑なものとなっている。
【０００３】
そこで、例えばＲＦＩＤ（ラジオ・フリークエンシー・アイデンティフィケーション）タグである無線タグを郵便物に設けるとともに収容箱に配達書の代わりにその配達書に記載する内容を記憶したＩＣ（インテグレイテッド・サーキット）カード等を添付し、ＩＣカードに記憶された識別情報と無線タグ読取装置で読取った識別情報とに基づいて、収容箱内の郵便物を確認する作業等を行うことが提案されている。無線タグ読取装置は、例えば、収容箱を載置する載置台内に配設されたアンテナを用いて収容箱内の各無線タグに電波を発し、その電波に応答して返信された無線タグの識別情報を受信する質問器とその上位装置であるホスト・コンピュータとから構成される。
【発明の開示】
【発明が解決しようとする課題】
【０００４】
無線タグ読取装置により無線タグの識別情報を読取るときに、例えば、質問器のアンテナから発せられる電波の干渉や無線タグの位置等の種々の原因により収容箱内の無線タグの識別情報が読取れない場合がある。また、収容箱に収容されていないはずの郵便物でないものが何等かの理由により収容箱内に混入してしまい、無線タグの識別情報を読取った際にＩＣカードに記憶されていない識別情報を読取ってしまう場合も考えられる。
【０００５】
このような場合には、識別情報を読取れなかった無線タグが設けられた郵便物、又は、ＩＣカードに記憶されていない識別情報を記憶した無線タグが設けられた郵便物等の混入物を収容箱内から見つける必要がある。すなわち、例えば、２００通のように大量の郵便物が収容された収容箱内から、ある無線タグが設けられた郵便物等を見つける煩雑な作業を行う必要がある。
【０００６】
本発明は上記事情に鑑みてなされたものであって、その目的は、収容箱に収容された流通物に設けられた無線タグの識別情報が読取れない場合、又は収容箱内存在しないはずの無線タグの識別情報を読取った場合に、その無線タグが設けられた流通物を効率良く探すことができる無線タグ読取装置及び無線タグ読取方法を提供することにある。
【課題を解決するための手段】
【０００７】
本発明は、識別情報を記憶した無線タグが設けられた流通物を収容する収容箱内の無線タグと予め所定位置に配置された複数のアンテナを用いて無線通信を行い、前記収容箱内の無線タグの識別情報を読取る無線タグ読取方法において、収容箱内の無線タグの識別情報及びその識別情報が複数のアンテナのいずれのアンテナで読取られたかを示す第１のアンテナ位置情報を関連付けて記憶した例えば、ＩＣカード，ネットワーク上のサーバ、無線タグなどの記憶手段から各情報を取得し、前記無線タグの識別情報を読取るときに、複数のアンテナのいずれのアンテナで読取ったかを示す第２のアンテナ位置情報を関連付けて取得し、取得した各識別情報が一致するか否かを判断し、一致しないと判断した識別情報は、その一致しない識別情報の無線タグが設けられた流通物の収容箱内における位置を第１のアンテナ位置情報及び第２のアンテナ位置情報に基づいて報知するものである。
【発明の効果】
【０００８】
本発明によると、収容箱に収容された流通物に設けられた無線タグの識別情報が読取れない場合、又は収容箱内存在しないはずの無線タグの識別情報を読取った場合に、その無線タグが設けられた流通物を効率良く探すことができる無線タグ読取装置及び無線タグ読取方法を提供できる。
【発明を実施するための最良の形態】
【０００９】
以下、本発明の一実施の形態について図面を参照して説明する。  
本発明の一実施の形態について図面を参照して説明する。この実施の形態においては、図１に示すように、例えば、書留郵便物のような流通物１にＲＦＩＤ（ラジオ・フリークエンシー・アイデンティフィケーション）である無線タグ２が貼付けられている場合で説明する。また、流通物１に設けられた無線タグ２には、後述する記憶部２６に記憶される識別情報に対応する文字、数字等からなる識別番号が視認できるように表記されている。
【００１０】
図２は、無線タグ２が貼付けられた流通物１を収容した収容箱３の断面を示す図である。収容箱３は、流通物１を収容する収容箱本体４と箱蓋５から構成されている。収容箱本体４内は、流通物１を例えば、宛先に応じて区分けするために底面から鉛直方向に所定距離延出された区分板４ａを複数有している。この収容箱本体４には、流通物１を宛先に応じて区分板４ａにより区分けして収容している。また、箱蓋５は収容箱本体４の開口部を覆うように設けている。
【００１１】
図３は、流通物１を引受けた引受局や流通物の中継を行う中継局、流通物の配達を行う配達局に設置される無線タグ読取装置６を示す図である。無線タグ読取装置は、収容箱３内から無線タグ２の識別情報を読取る質問器７、質問器８及び質問器７,８の上位装置であるホスト・コンピュータ９で構成している。また、質問器７はアンテナＡ１からＡ６を有するアンテナ部１０、質問器８はアンテナＢ１からＢ６を有するアンテナ部１１を有するとともにそれぞれホスト・コンピュータ９と例えば通信ケーブルで接続している。収容箱３内の無線タグ２の読取りが行われる際には、作業者により収容箱３は図中矢印で示すように図示しないマーク等に基づいて予め定められた位置となるように載置台１２上に収容箱３は載置される。この載置台１２内には、質問器７,８のアンテナ部１０,１１を、載置面に対して口字形状となるように配設している。
【００１２】
図４は、質問器７,８及び無線タグ２の構成を示すブロック図である。なお、質問器７，８とは同様な構成をしているため質問器７の構成についてのみ説明する。また、無線タグ２は全て同様な構成をしている。
【００１３】
質問器７は、アンテナ部１０、質問器本体１３からなる。質問器本体１３は、ホスト・コンピュータ９とのインタフェース部１４、ＣＰＵ，ＲＯＭ，情報を記憶するバッファを有するＲＡＭ等で構成される制御部１５、無線タグ２への送信情報を変調する変調部１６、変調電波を増幅してアンテナ部１０から放射させる出力部１７、電波を放射するアンテナ部１０の各アンテナＡ１からＡ６を予め定められたパターン及び所定の時間毎に制御部１５の制御の下に切換えるアンテナ切換部１８、アンテナ部１０で受信した電波を増幅する増幅部１９及び増幅された受信電波を復調する復調部２０等で構成している。
【００１４】
無線タグ２の構成は、ループコイル等からなるタグアンテナ２１と、タグアンテナ２１で受信した変調電波の整流と安定化を行うことにより各部に電源を供給する電源生成部２２、上記変調電波を復調して制御部２３へ送出する復調部２４、制御部２３から送出された情報を変調してタグアンテナ２１に送出する変調部２５、復調部２４で復調された情報が所定の読取りコマンドであるとき、記憶部２６に記憶した情報を読み出し変調部２５へ送出する制御部２３及び記憶部２６等からなるＬＳＩチップ２７とで構成している。記憶部２６には例えば当該無線タグ２の製造段階で製造業者により設定された固有の識別ＩＤ番号である識別情報が記憶されている。
【００１５】
図５は、ホスト・コンピュータ９の構成を示すブロック図である。ホスト・コンピュータ９は、制御部本体としてのＣＰＵ２８、各種情報や制御プログラムを記憶したＲＯＭ２９、ワークエリアなどとして使用されるＲＡＭ３０、質問器７と接続するためのインタフェース部３１、質問器８と接続するためのインタフェース部３２、図示しないサーバ等が設けられたネットワークと接続するためのインタフェース部３３、作業者が各種指示を指示するための操作部３４、作業者に必要な情報を表示するための表示部３５、収容箱３に添付する送達書に代わるＩＣカード３６ａに情報を書込み、又は、ＩＣカード３６ａから情報を読取るためのＩＣカードリーダ／ライタ部３６等が設けられている。ホスト・コンピュータ９は、無線タグ２の読取りを質問器７，８に開始させた後は、質問器７，８の制御部１５のバッファに記憶された無線タグ２の識別情報を質問器７，８の識別情報の読取りが終了するまで、所定の時間間隔で読取るようになっている。
【００１６】
図６は、質問器７，８の各制御部１５がホスト・コンピュータ９の制御の下、収容箱３内の無線タグ２の識別情報を読取るときの処理を示す図である。ホスト・コンピュータ９から読取開始の指示を受付けると、この処理を開始する。質問器７，８の各制御部１５は同様な処理を行うため、質問器７の場合で説明する。
【００１７】
先ず、制御部１５は無線タグ２の識別情報の読取りに使用するアンテナ部１０のアンテナＡ１からＡ６のアンテナを、例えばアンテナＡ１に、予め定められたパターンに基づいて、アンテナ切換部１８を制御して切換える（ＳＴ１）。続いて、アンテナＡ１を使用して、所定の読取りコマンドを変調部１６で電波に変調して発信する（ＳＴ２）。この発信した電波に応答した識別情報が変調された電波をアンテナＡ１を介して無線タグ２から受信すると、その電波を識別情報に復調部２０で復調した後、使用したアンテナの位置を示すアンテナ位置情報（例えば、アンテナＡ１を示す情報）を関連付けて制御部１５内のバッファに記憶する（ＳＴ３）。そして、制御部１５は、アンテナを切換えるために予め設定された所定時間を経過したか否かを判断する（ＳＴ４）。この判断で所定時間を経過していないと判断した場合には、ステップＳＴ２からＳＴ４の処理を繰返し、所定時間を経過したと判断した場合には、パターンに基づくアンテナの切換えが終了したか否かを判断する（ＳＴ５）。この判断でアンテナの切換えが終了していないと判断した場合はステップＳＴ１の処理へ戻りパターンに基づいて次のアンテナへの切換えを行い、アンテナの切換えが終了したと判断すると、この処理を終了する。
【００１８】
この質問器７，８が収容箱３内の無線タグ２の識別情報を読取る処理は引受局、中継局等において共通であるが、ホスト・コンピュータ９のＣＰＵ２８が実行する処理は、引受局と収容箱３が配送されたときに受入確認を行う中継局や配達局とでは処理が異なるため、それぞれの場合について説明する。
【００１９】
先ず、引受局におけるホスト・コンピュータ９のＣＰＵ２８が実行する処理について図７を参照して説明する。  
ＣＰＵ２８はＩＣカードリーダ／ライタ部３６にＩＣカード３６ａが挿入された後、操作部３４からの操作を受付け、収容箱３の行き先局を示す情報及び収容箱３に収容された流通物数を示す情報をＩＣカードリーダ／ライタ部３６部を制御し、ＩＣカード３６ａの記憶部へ記憶する（ＳＴ１１）。この行き先局を示す情報及び流通物数を示す情報は、図８に示すように、ＩＣカード３６ａの記憶部の一部に記憶される。続いて、ＣＰＵ２８は操作部３４からの操作を受付け、各質問器７，８へ無線タグ２の識別情報の読取開始を指示し、各質問器７，８に図６を参照して説明した収容箱３内の無線タグ２の識別情報を読取る処理を行わせる（ＳＴ１２）。続いて、所定時間経過したか否かを判断する（ＳＴ１３）。所定時間が経過するまでは他の処理を行い、所定時間が経過したと判断すると、各質問器７，８の制御部１５内のバッファに記憶されている識別情報とその識別情報に関連付けられている第１のアンテナ位置情報を読出し、ＲＡＭ３０の所定エリアに一時的に記憶する（ＳＴ１４）。そして、ＣＰＵ２８は、例えば、質問器７，８の制御部１５が無線タグ２の識別情報を読取るアンテナを切換えるパターンが終了したか否かに基づいて、質問器７，８による無線タグ２の識別情報の読取りが終了したか否かを判断する（ＳＴ１５）。読取りが終了していないと判断するとステップＳＴ１３からＳＴ１５の処理を繰返し、読取りが終了していると判断するとＲＡＭ３０の所定エリアに記憶している取得した識別情報及び識別情報に関連付けられているアンテナ位置情報（以下、第１のアンテナ位置情報とする。）を、ＩＣカードリーダ／ライタ部３６を制御し、ＩＣカード３６ａの記憶部へ記憶する（ＳＴ１６，記憶手段）。この識別情報及び識別情報に関連付けられている第１のアンテナ位置情報は、図９に示すように、ＩＣカード３６ａの記憶部の一部に記憶される。
【００２０】
続いて、中継局や配達局におけるホスト・コンピュータ９のＣＰＵ２８が実行する処理について図１０を参照して説明する。
【００２１】
ＣＰＵ２８はＩＣカードリーダ／ライタ部３６にＩＣカード３６ａが挿入された後、操作部３４からの操作を受付けＩＣカードリーダ／ライタ部３６部を制御し、ＩＣカード３６ａに記憶されている無線タグ２の識別情報及びその識別情報と関連付けられた第１のアンテナ位置情報を読出し、ＲＡＭ３０の所定エリアに一時的に記憶する。これにより、収容箱３内の無線タグ２の識別情報及びその識別情報と関連付けられた第１のアンテナ位置情報を取得する（ＳＴ２１，第１の情報取得手段）。そして、ＣＰＵ２８は操作部３４からの操作を受付け、ステップＳＴ２３からＳＴ２５の処理を繰返し、各質問器７，８に無線タグ２の識別情報の読取りを開始させ、各質問器７，８の読取りが終了したと判断するまで、所定時間が経過する毎に制御部１５のバッファに記憶している無線タグ２の識別情報及びこの識別情報に関連付けられた第２のアンテナ位置情報の読取りを行う（第２の情報取得手段）。このステップＳＴ２３からＳＴ２５の処理は、上述のステップＳＴ１３からＳＴ１５の処理と同様であるため詳細な説明は省略する。そして、ステップＳＴ２５において、各質問器７，８の識別情報の読取りが終了していると判断すると、ＩＣカード３６ａから取得した識別情報と各質問器７，８から取得した識別情報とが一致しているか否かを判断する（ＳＴ２６，判断手段）。ＣＰＵ２８は、一致していると判断した場合は表示部３５を制御して読取り完了等のメッセージを表示し（ＳＴ２７）、一致していないと判断した場合は図１１を参照して説明する表示処理を行う（ＳＴ２８，報知手段）。
【００２２】
続いて、ステップＳＴ２８の表示処理について図１１を参照して説明する。  
ＣＰＵ２８は、ＩＣカード３６ａから取得した識別情報と各質問器７，８から取得した識別情報とが一致していなかった識別情報を一時的にＲＡＭ３０に記憶し（ＳＴ３１）、その記憶された識別情報から１つの識別情報を選択する（ＳＴ３２）。続いて、ＣＰＵ２８は、選択した識別情報に関連付けられているアンテナの位置を示す情報が第１のアンテナ位置情報か第２のアンテナ位置情報であるかを判断する（ＳＴ３３）。これにより、一致していない識別情報がＩＣカード３６ａから取得した識別情報か、又は、各質問器７，８のいずれかから取得した識別情報かが判断される。続いて、一致しない識別情報に第１のアンテナ位置情報が関連付けられている（すなわち、ＩＣカード３６ａから取得した識別情報である）場合には、その第１のアンテナ位置情報が示すアンテナ位置に不明無線タグが存在することを示す情報をＲＡＭ３０のワークエリアに記憶する（ＳＴ３４）。また、一致しない識別情報に第２のアンテナ位置情報が関連付けられている（すなわち、各質問器７，８のいずれかから取得した識別情報である）場合には、その第２のアンテナ位置情報が示すアンテナ位置に混入無線タグが存在することを示す情報をＲＡＭ３０のワークエリアに記憶する（ＳＴ３５）。このステップＳＴ２２又ＳＴ２３の処理で情報を記憶すると、一致していない識別情報は終了したか否かを判断する（ＳＴ３６）。終了していないと判断した場合はステップＳＴ３２へ戻り。このようにステップＳＴ３２からＳＴ３６の処理を繰返することにより、ＲＡＭ３０に記憶した全ての一致していないと判断された識別情報についてステップＳＴ２２又はＳＴ２３の処理を行うことができる。そして、ステップＳＴ３６においてＣＰＵ２８は、終了したと判断した場合には、表示部３５を表示してＲＡＭ３０のワークエリアに記憶した情報を表示する（ＳＴ３７）。このときの表示部３５の表示は、例えば、載置台１２に配設されたアンテナ部１０のアンテナＡ１からＡ６，アンテナ部１１のアンテナＢ１からＢ６の位置を表示し、そのアンテナＡ１からＡ６，Ｂ１からＢ６の表示位置近傍に、ＲＡＭ３０のワークエリアに記憶しているアンテナ位置に基づいて不明無線タグの場合は「不明」及び混入無線タグの場合は「混入」を表示させるとともに、その旨を示すメッセージ及びその不明無線タグ及び混入無線タグの識別情報が示す文字、数字等からなる識別番号を表示させる。
【００２３】
次に上述のように構成された無線タグ読取装置６で無線タグ２の識別情報を読取るときの引受局及び収容箱３が配送された局における作用について説明する。  
先ず、流通物１を引受けた引受局において、無線タグ２が貼付けられた流通物１が宛先により区分けされて収容箱３に収容される。局員は、ＩＣカードリーダ／ライタ部３６にＩＣカード３６ａを挿入した後、ホスト・コンピュータ９を操作して、ＩＣカード３６ａに収容箱３の行き先及び収容した流通物２の流通物数を記憶させる。そして、収容箱３を載置台１２に載置し、各質問器７，８に収容箱３内の無線タグ２の識別情報を読取らせる。このとき、各質問器７，８は読取りに使用したアンテナ部１０，１１のアンテナＡ１からＡ６，アンテナＢ１からＢ６のいずれかのアンテナと関連付けて制御部１５内に記憶する。この制御部１５に記憶された情報は、所定時間毎にホスト・コンピュータ９により読取られ、局員の操作によりＩＣカード３６ａに記憶される。このＩＣカード３６ａが送達書に代えて収容箱３に添付され、中継局である行き先局へと配送される。
【００２４】
中継を行う行き先局において、配送された収容箱３の受入確認が行われる。局員は受入確認を行う際、先ず、ホスト・コンピュータ９のＩＣカードリーダ／ライタ部３６に収容箱３に添付されたＩＣカード３６ａを挿入する。そして、操作部３４を操作してホスト・コンピュータ９にＩＣカード３６ａに記憶されている情報を読取らせる。この際、行き先局として正しいか否か等が確認される。そして、局員は収容箱３を載置台１２に載置し、ホスト・コンピュータ９を操作して各質問器７，８に収容箱３内の無線タグ２の識別情報を読取らせる。このとき、各質問器７，８は読取りに使用したアンテナ部１０，１１のアンテナＡ１からＡ６，アンテナＢ１からＢ６のいずれかのアンテナと関連付けて制御部１５内に記憶する。この制御部１５に記憶された情報は、所定時間毎にホスト・コンピュータ９により読取られ、ＩＣカード３６ａから読取った識別情報と各質問器７，８から読取った識別情報とが一致するか否かが判断される。
【００２５】
識別情報が一致している場合には、表示部３５に例えば「読取り完了」の表示がされる。識別情報が一致していない場合には、次のように表示部３５に表示される。一致していない識別情報がＩＣカード３６ａから読取られたものであれば、収容箱３内に収容された流通物１に設けられた無線タグ２の識別情報が読取れなかった場合であるため、例えば図１２に示すように、文字「不明」をその識別情報と関連付けられた第１のアンテナ位置情報が示すアンテナ位置に表示するとともに、その旨を示すメッセージ及び識別情報の識別番号が表示部３５に表示する。また、一致していない識別情報が各質問器７，８から読取られたものであれば、収容箱３内に存在しないはずの無線タグ２の識別情報が読取れた場合であるため、例えば図１３に示すように、文字「混入」をその識別情報と関連付けられた第２のアンテナ位置情報が示すアンテナ位置に表示するとともに、その旨を示すメッセージ及び識別情報の識別番号が表示部３５に表示する。さらに、図示しないが、不明無線タグと混入無線タグとが同時に存在する場合には、「不明」と「混入」とが同時に表示部３５に表示される。
【００２６】
この実施の形態によると、局員は引受確認を行うときに、収容箱３内に収容された流通物１に設けられた無線タグ２の識別情報が読取れない場合や収容箱３内に存在しないはずの無線タグ２の識別情報が読取れた場合に、その無線タグ２が設けられた流通物１の位置をアンテナＡ１からＡ６，Ｂ１からＢ６の配置及び表示部３５の表示に基づいておおよその位置を把握した後、表示部３５に表示された識別番号と同一の識別番号が表記された無線タグ２が貼付けられた流通物１を探すことができる。したがって、その無線タグ２が設けられた流通物１を効率良く探すことができる。
【００２７】
なお上述した実施の形態では、引受局において無線タグ読取装置６で読取った収容箱３内の無線タグ２の識別情報とその識別情報の読取りに使用したアンテナを関連付けた第１のアンテナ位置情報をＩＣカード３６ａに記憶する構成としているが、これに限るものではない。例えば、送達書の代わりにＩＣカード３６ａではなく他の無線タグを用いる場合には、引受局においてその無線タグの記憶部に識別情報と第１のアンテナ位置情報を記憶させておき、受入確認を行うときにその無線タグから無線通信によりそれらの情報を取得するようにしても良い。また、引受局においてネットワーク上のサーバに収容箱毎の識別情報及び第１のアンテナ位置情報を記憶させておき、受入確認を行うときにそのサーバからそれらの情報を取得するようにしても良い。
【００２８】
なお、この発明は、上述した実施の形態そのままに限定されるものではなく、実施段階ではその要旨を逸脱しない範囲で構成要素を変形して具体化できるものである。
【図面の簡単な説明】
【００２９】
【図１】本発明の実施の形態における流通物に貼付けられた無線タグを示す図。
【図２】同実施の形態における収容箱の断面を示す図。
【図３】同実施の形態における無線タグ読取装置を示す図。
【図４】同実施の形態における質問器及び無線タグの構成を示すブロック図。
【図５】同実施の形態におけるホスト・コンピュータの構成を示すブロック図。
【図６】同実施の形態における無線タグの識別情報の読取処理を示す図。
【図７】同実施の形態における引受局におけるホスト・コンピュータの処理を示す図。
【図８】同実施の形態におけるＩＣカードに記憶される情報を示す図。
【図９】同実施の形態におけるＩＣカードに記憶される他の情報を示す図。
【図１０】同実施の形態における中継局におけるホスト・コンピュータの処理を示す図。
【図１１】同実施の形態における表示処理を示す図。
【図１２】同実施の形態における不明無線タグの表示例を示す図。
【図１３】同実施の形態における混入無線タグの表示例を示す図。
【符号の説明】
【００３０】
１…流通物，２…無線タグ，３…収容箱，６…無線タグ読取装置，７，８…質問器，９…ホスト・コンピュータ，１０，１１…アンテナ部，３５…表示部，３６ａ…ＩＣカード，Ａ１からＡ６，Ｂ１からＢ６…アンテナ
【図１】
2005267078.tif 000003
【図２】
2005267078.tif 000004
【図３】
2005267078.tif 000005
【図４】
2005267078.tif 000006
【図５】
2005267078.tif 000007
【図６】
2005267078.tif 000008
【図７】
2005267078.tif 000009
【図８】
2005267078.tif 000010
【図９】
2005267078.tif 000011
【図１０】
2005267078.tif 000012
【図１１】
2005267078.tif 000013
【図１２】
2005267078.tif 000014
【図１３】
2005267078.tif 000015